(57)【要約】【課題】種々の小物類を収納しやすく、かつ取り出しやすく、使い勝手の良い保管棚および保管棚の設置構造を提供することを目的とする。【解決手段】壁面３に沿って取り付けられるとともに、この壁面３の幅方向に沿って長尺に形成され、小物類８を保管するための保管棚１０において、固定部１１と、前面化粧板１２と、棚板１３とを備えており、前面化粧板１２は、固定部１１の前面に設けられるとともに該前面化粧板１２を前後方向に傾動させる傾動手段２０を介して、固定部１１に取り付けられていることを特徴とする。これにより、前面化粧板を前方に傾けることによって、棚板も同時に傾けることができるので、この棚板上に立たせた状態で保管された小物類も前方に傾けることができ、小物類を収納しやすく、かつ取り出しやすく、使い勝手がよくなる。【選択図】図１
2011045468.tif 000002
【特許請求の範囲】
【請求項１】
壁面に沿って取り付けられるとともに、この壁面の幅方向に沿って長尺に形成され、小物類を保管するための保管棚において、
前記壁面に、この壁面から前方に突出するようにして固定される固定部と、
この固定部の前方に位置し、該固定部の下端部よりも下方に突出するとともに上端部よりも上方に突出することによって該固定部の前面を遮蔽する前面化粧板と、
この前面化粧板の上部裏面に突出するようにして取り付けられるとともに、前記固定部の上面に載置される棚板とを備えており、
前記前面化粧板は、前記固定部の前面に設けられるとともに該前面化粧板を前後方向に傾動させる傾動手段を介して、前記固定部に取り付けられていることを特徴とする保管棚。
【請求項２】
請求項１に記載の保管棚において、
前記前面化粧板は、傾動範囲規制手段によって傾動範囲が規制されていることを特徴とする保管棚。
【請求項３】
請求項１または２に記載の保管棚において、
前記固定部の下面には、照明が前記下面から突出しないようにして埋込設置されていることを特徴とする保管棚。
【請求項４】
請求項１〜３のいずれか一項に記載の保管棚において、
前記棚板は、この棚板の突出方向側端部に設けられるとともに、この棚板に直交する方向に突出する立ち上がり部を有することを特徴とする保管棚。
【請求項５】
キッチンの床に、キッチンの壁面に沿って、上面が作業カウンターとされたフロアキャビネットが設置されており、請求項１〜４のいずれか一項に記載の保管棚は、前記作業カウンターよりも上方に位置する前記キッチンの壁面に取り付けられていることを特徴とする保管棚の取付構造。
【発明の詳細な説明】
【技術分野】
【０００１】
本発明は、壁面に沿って取り付けられるとともに、この壁面の幅方向に沿って長尺に形成され、小物類を保管するための保管棚と、この保管棚の取付構造に関する。
【背景技術】
【０００２】
従来、壁面に沿って床上に設置され、上面が作業カウンターとして利用されるフロアキャビネットが知られている（例えば、特許文献１参照）。
また、このようなフロアキャビネットの作業カウンター上には、例えば電子レンジや炊飯ジャー、湯沸かしポット等の家電製品が設置される。
【先行技術文献】
【特許文献】
【０００３】
【特許文献１】特開平０８−１９１７２５号公報
【発明の概要】
【発明が解決しようとする課題】
【０００４】
ところで、調理時には、上述のような家電製品の他にも、スパイス類や調味料等の小物が頻繁に使用される。
ところが、これら小物を、作業カウンター上に並べてしまうと、作業スペースや家電製品の設置スペースを確保できない場合があるため、これら小物は、例えば、扉の内側に備え付けられたラックや、キャビネットに備え付けられた引き出しの中で保管される。
しかし、このように頻繁に使用されるスパイス類や調味料等の小物を、扉内側のラックや引き出し内で保管してしまうと、使い勝手が良くないという問題があった。
【０００５】
本発明の課題は、種々の小物類を収納しやすく、かつ取り出しやすく、使い勝手の良い保管棚および保管棚の設置構造を提供することを目的とする。
【課題を解決するための手段】
【０００６】
請求項１に記載の発明は、例えば図１〜図４に示すように、壁面３に沿って取り付けられるとともに、この壁面３の幅方向に沿って長尺に形成され、小物類８を保管するための保管棚１０において、
前記壁面３に、この壁面３から前方に突出するようにして固定される固定部１１と、
この固定部１１の前方に位置し、該固定部１１の下端部よりも下方に突出するとともに上端部よりも上方に突出することによって該固定部１１の前面を遮蔽する前面化粧板１２と、
この前面化粧板１２の上部裏面に突出するようにして取り付けられるとともに、前記固定部１１の上面に載置される棚板１３とを備えており、
前記前面化粧板１２は、前記固定部１１の前面に設けられるとともに該前面化粧板１２を前後方向に傾動させる傾動手段２０（３０）を介して、前記固定部１１に取り付けられていることを特徴とする。
【０００７】
請求項１に記載の発明によれば、前記固定部１１と、前記前面化粧板１２と、前記棚板１３とを備えており、前記前面化粧板１２は、前記固定部１１の前面に設けられるとともに該前面化粧板１２を前後方向に傾動させる傾動手段２０（３０）を介して、前記固定部１１に取り付けられているので、小物類８を前記棚板１３上に立たせた状態で保管することができるとともに、前記前面化粧板１２を前方に傾けて、小物類８を取り出したり収納したりすることができる。
すなわち、前記前面化粧板１２を前方に傾けることによって、前記棚板１３も同時に傾けることができるので、この棚板１３上に立たせた状態で保管された小物類８も前方に傾けることができる。これによって、例えば小物類８を、扉の内側に備え付けられたラックや、キャビネットに備え付けられた引き出しの中で保管する場合に比して、収納しやすく、かつ取り出しやすく、使い勝手がよくなる。
さらに、このような保管棚１０が前記壁面３に沿って取り付けられるとともに、この壁面３の幅方向に沿って長尺に形成されることから、前記壁面３の幅方向に沿って、この保管棚１０の長さ分の小物類８を多数保管することができるので、前記壁面３に沿って小物類８の保管場所を確保できるとともに、この壁面３の前方のスペースを作業スペース等として有効活用できる。
【０００８】
請求項２に記載の発明は、例えば図３および図４に示すように、請求項１に記載の保管棚１０において、
前記前面化粧板１２は、傾動範囲規制手段２１（３１）によって傾動範囲が規制されていることを特徴とする。
【０００９】
請求項２に記載の発明によれば、前記前面化粧板１２は、傾動範囲規制手段２１（３１）によって傾動範囲が規制されているので、前記前面化粧板１２が必要以上に前方に傾くことを防ぐことができ、前記前面化粧板１２の傾けすぎによる前記棚板１３上の小物類８の落下を確実に防ぐことができる。
【００１０】
請求項３に記載の発明は、例えば図１，図３および図４に示すように、請求項１または２に記載の保管棚１０において、
前記固定部１１の下面１１ｄには、照明１４が前記下面１１ｄから突出しないようにして埋込設置されていることを特徴とする。
【００１１】
請求項３に記載の発明によれば、前記固定部１１の下面１１ｄには、照明１４が前記下面１１ｄから突出しないようにして埋込設置されているので、照明１４を間接照明として利用できる。
また、照明１４の下方を作業スペースとした際に、この照明１４によって手元を照らすことができるので好ましい。
【００１２】
請求項４に記載の発明は、例えば図１，図３および図４に示すように、請求項１〜３のいずれか一項に記載の保管棚１０において、
前記棚板１３は、この棚板１３の突出方向側端部に設けられるとともに、この棚板１３に直交する方向に突出する立ち上がり部１３ａを有することを特徴とする。
【００１３】
請求項４に記載の発明によれば、前記棚板１３は、この棚板１３の突出方向側端部に設けられるとともに、この棚板１３に直交する方向に突出する立ち上がり部１３ａを有するので、小物類８が、前記棚板１３の突出方向側端部よりも壁面３側に移動することを確実に防ぐことができる。これによって、例えば、前記前面化粧板１２を前方に傾けたり、後方に戻したりする際に、小物類８が前記棚板１３の突出方向側端部に落下することを確実に防ぐことができる。
【００１４】
請求項５に記載の発明は、保管棚１０の取付構造であって、例えば図１〜図４に示すように、キッチン１の床２に、キッチン１の壁面３に沿って、上面が作業カウンター４ａとされたフロアキャビネット４が設置されており、請求項１〜４のいずれか一項に記載の保管棚１０は、前記作業カウンター４ａよりも上方に位置する前記キッチン１の壁面３に取り付けられていることを特徴とする。
【００１５】
請求項５に記載の発明によれば、前記保管棚１０は、前記作業カウンター４ａよりも上方に位置する前記キッチン１の壁面３に取り付けられているので、前記キッチン１において、前記壁面３に沿って小物類８の保管場所を確保できるとともに、この壁面３の前方のスペースを作業スペース等として有効活用できる。
また、前記保管棚１０の下方に前記作業カウンター４ａが位置するので、この作業カウンター４ａ上で、保管棚１０に保管した小物類８を利用した作業を行う際に使い勝手がよく、作業効率を向上させることができる。
【発明の効果】
【００１６】
本発明によれば、固定部と、前面化粧板と、棚板とを備えており、前面化粧板は、固定部の前面に設けられるとともに該前面化粧板を前後方向に傾動させる傾動手段を介して固定部に取り付けられているので、小物類を棚板上に立たせた状態で保管することができるとともに、前面化粧板を前方に傾けて、小物類を取り出したり収納したりすることができる。
すなわち、前面化粧板を前方に傾けることによって、棚板も同時に傾けることができるので、この棚板上に立たせた状態で保管された小物類も前方に傾けることができる。これによって、例えば小物類を、扉の内側に備え付けられたラックや、キャビネットに備え付けられた引き出しの中で保管する場合に比して、収納しやすく、かつ取り出しやすく、使い勝手がよくなる。
さらに、このような保管棚が壁面に沿って取り付けられるとともに、この壁面の幅方向に沿って長尺に形成されることから、壁面の幅方向に沿って、この保管棚の長さ分の小物類を保管することができるので、壁面に沿って小物類の保管場所を確保できるとともに、この壁面の前方のスペースを作業スペース等として有効活用できる。
【図面の簡単な説明】
【００１７】
【図１】本発明の保管棚および保管棚の取付構造を示す断面図である。
【図２】同、正面図である。
【図３】同、拡大断面図である。
【図４】図３とは異なる形態の保管棚を示す拡大断面図である。
【発明を実施するための形態】
【００１８】
以下、図面を参照して本発明の実施の形態について説明する。
図１は本発明に係る保管棚および保管棚の取付構造の一例を示す断面図である。
図１において符号１は、キッチンを示す。このキッチン１は、例えばダイニングやリビングに隣接して配置されるスペースを指しており、このキッチン１の床２には、キッチン１の壁面３に沿って、上面が作業カウンター４ａとされたフロアキャビネット４が設置されるとともに、このフロアキャビネット４に対向して調理台６が設置されている。
また、前記フロアキャビネット４の上方には、キッチン１の壁面３に沿って取り付けらるウォールキャビネット５が配設されている。
【００１９】
また、前記フロアキャビネット４の前面は開口しており、図１および図２に示すように、この開口を開閉する扉４ｂが複数枚設けられている。
また、前記ウォールキャビネット５の前面も開口しており、この開口を開閉する扉５ａが複数枚設けられている。
さらに、前記調理台６の上方には、コンロ上方に位置するフードと換気扇（図示せず）とを有するレンジフード７が配設されている。
【００２０】
そして、前記フロアキャビネット４の作業カウンター４ａよりも上方に位置するとともに、前記ウォールキャビネット５よりも下方に位置する前記キッチン１の壁面３に、保管棚１０が複数取り付けられている。
この保管棚１０には、例えばスパイス類や調味料等を始めとする種々の小物類８が保管される。また、小物類８だけでなく、料理本や雑誌９等も立て懸けるようにして保管できるようになっている。
【００２１】
また、この保管棚１０は、前記壁面３の幅方向に沿って３つ隣接して取り付けられるとともに、これら３つの保管棚１０が、前記壁面３の高さ方向に沿って所定の間隔をあけて２列に並列している。したがって、合計６つの保管棚１０が並べて前記壁面３に取り付けられていることになる。ただし、この保管棚１０のサイズや個数、並べ方は、これに限定されるものではない。
すなわち、この保管棚１０は、前記壁面３の幅方向と略等しい長さに設定されていてもよいし、３列に並列してもよいし、適宜変更可能である。
【００２２】
ここで、前記保管棚１０は、図１〜図３に示すように、前記壁面３の幅方向に沿って長尺に形成されており、前記壁面３に、この壁面３から前方に突出するようにして固定される固定部１１と、この固定部１１の前方に位置し、該固定部１１の下端部よりも下方に突出するとともに上端部よりも上方に突出することによって該固定部１１の前面を遮蔽する前面化粧板１２と、この前面化粧板１２の上部裏面に突出するようにして取り付けられるとともに、前記固定部１１の上面に載置される棚板１３とを備えている。
さらに、前記前面化粧板１２は、前記固定部１１の前面に設けられるとともに該前面化粧板１２を前後方向に傾動させる傾動手段２０を介して、前記固定部１１に取り付けられている。
【００２３】
前記固定部１１は、図３に示すように、前記壁面３から前方に向かって水平に突出するとともに、該固定部１１の上面を構成する突出部１１ａと、この突出部１１ａの突出方向側端部に設けられるとともに垂直方向に下垂する前方下垂部１１ｂと、前記突出部１１ａの突出方向側端部と反対側の端部に設けられるとともに垂直方向に下垂し、さらに前記突出部１１ａと共に前記壁面３に沿って取り付けられる後方下垂部１１ｃとを有する。
したがって、この固定部１１は、断面視略コ字型に形成されており、コ字の開口部分を下方に向けたような状態となっている。すなわち、この固定部１１の下面１１ｄには開口部が形成されていることになる。
また、前記後方下垂部１１ｃの厚みは、前記壁面３に貼り付けられる壁面材３ａの厚みと略等しくなるように設定されている。これによって、前記固定部１１の一部が壁面３と一体化したように見せることができるので、保管棚１０自体を備え付け家具として見せることができる。
【００２４】
また、前記固定部１１の下面１１ｄには、照明１４が前記下面１１ｄから突出しないようにして埋込設置されており、この照明１４は、前記突出部１１ａの長さ方向に沿って点在するようにして該突出部１１ａの下面に設けられている。
ここで、前記固定部１１の下面１１ｄとは、前記前方下垂部１１ｂの下面と、前記後方下垂部１１ｃの下面と、下方に向かって開口する開口部とを含み、前記固定部１１において最下面に位置する部分を指している。
【００２５】
なお、本実施の形態の照明１４としては、例えば、ＬＥＤ（発光ダイオード）が用いられている。
ＬＥＤは、家庭用の交流１００Ｖを直接電源とすることはできず、変圧器（トランス）を交流１００Ｖ電源に接続し、この変圧器を電源としている。したがって、ＬＥＤを照明として前記突出部１１ａの下面に設ける際は、トランスも前記突出部１１ａの周囲に取り付ける必要がある。
そこで、本実施の形態においては、図示はしないが、前記固定部１１の一側端部に、この固定部１１に連続して、箱状に組んだ容器を取り付けて、この容器に前記トランスを収納しているものとする。
【００２６】
なお、このように固定部１１の一側端部に箱状の収納容器を設けた際は、この収納容器も前記壁面３に、一部が壁面３と一体化するようにして固定するとともに、前記前面化粧板１２によって遮蔽する。
また、この収納容器の上面と前記突出部１１ａの上面とは面一になっており、前記棚板１３は、これら収納容器の上面および突出部１１ａの上面にわたって載置される。
【００２７】
さらに、前記固定部１１の下面１１ｄには、前記照明１４の下方に位置するとともに、前記前方下垂部１１ｂの下端部と後方下垂部１１ｃの下端部との間に架設される板材１５が設けられている。この板材１５は透光性を有しており、前記照明１４の光を透過できるようになっている。
【００２８】
前記前面化粧板１２は、表面が化粧された板状体であり、少なくとも前記固定部１１と略等しい長さに設定されている。
なお、この前面化粧板１２の長さは、１つの固定部１１の前面を遮蔽する分だけの長さとしてもよいし、横方向に連続する複数の固定部１１の前面を遮蔽する分の長さに設定してもよいものとする。
【００２９】
前記棚板１３は、前記固定部１１の突出部１１ａと略等しい長さに設定されている。
また、この棚板１３は、この棚板１３の突出方向側端部に設けられるとともに、この棚板１３に直交する方向に突出する立ち上がり部１３ａを有しており、小物類８が、前記棚板１３の突出方向側端部よりも壁面３側に移動することを確実に防ぐことができる。
また、この棚板１３は、この棚板１３を前記前面化粧板１２の裏面に固定するための固定用立ち上がり部１３ｂを有している。すなわち、この固定用立ち上がり部１３ｂは、前記棚板１３の突出方向とは反対側の端部に設けられるとともに、この棚板１３に直交する方向に突出するものであり、前記前面化粧板１２の裏面に沿って固定されている。
【００３０】
前記傾動手段２０としては、例えば蝶番が用いられている。
この蝶番２０を用いる際は、複数の蝶番２０の一方の板部２０ａを、前記固定部１１の前方下垂部１１ｂに固定するとともに、他方の板部２０ｂを、前記前面化粧板１２の裏面に固定して用いられている。
また、この蝶番２０は、前記前方下垂部１１ｂおよび前面化粧板１２の長さ方向に沿って複数点在するようにして配置されている。ただし、前記前方下垂部１１ｂの長さと略等しい長さに設定された蝶番を用いてもよいものとする。
【００３１】
さらに、前記前面化粧板１２は、傾動範囲規制手段２１によって傾動範囲が規制されており、前記前面化粧板１２が必要以上に前方に傾くことを防げるようになっている。
この傾動範囲規制手段２１としては、例えば、前記壁面３の幅方向に沿って隣り合う前面化粧板１２の向かい合う側端面同士を連結するとともに、前記固定部１１とリンク機構が用いられている。
【００３２】
このリンク機構２１は、前記隣り合う前面化粧板１２の向かい合う側端面のうち、一方の側端面に、軸部２１ｂを介して回動可能に取り付けられるアーム２１ａと、他方の側端面に、軸部２１ｂを介して回動可能に取り付けられるアーム２１ａと、これら両アーム２１ａ，２１ａとを回動可能に連結する軸部２１ｃとを備えている。
なお、このようなリンク機構２１によって前記前面化粧板１２の傾動範囲を規制する際は、前記アーム２１ａ，２１ａの長さを適宜設定すればよい。
【００３３】
そして、このように前記前面化粧板１２は、この傾動範囲規制手段２１によって傾動範囲が規制されているので、必要以上に傾動することがない。したがって、前記前面化粧板１２の前方の前記作業カウンター４ａ上には、例えば電子レンジや炊飯ジャー、湯沸かしポット等の家電製品を設置してもよい。
【００３４】
また、本実施の形態において、前記傾動手段は蝶番２０としたが、これに限られるものではなく、適宜変更可能である。
したがって、例えば図４に示すように、前記固定部１１の前方下垂部１１ｂと前記前面化粧板１２の裏面と連結する連結金物３０を用いてもよい。
この連結金物３０は、前記前方下垂部１１ｂの下端面に取り付けられるとともに、該前方下垂部１１ｂの前面よりも前方に突出する部分に差込穴部３０ｂを有する固定板部３０ａと、前記前面化粧板１２の裏面に取り付けられるとともに、下端部が前記差込穴部３０ｂに差し込まれる差込部３０ｃとを備えている。
そして、前記差込穴部３０ｂの孔径は、前記差込部３０ｃの径よりも大きくなるように形成されることによって、この差込部３０ｃと差込穴部３０ｂの面との間には隙間が生じており、この隙間を利用することによって、前記前面化粧板１２が傾動できるようになっている。
【００３５】
さらに、本実施の形態において、前記傾動範囲規制手段はリンク機構２１としたが、これに限られるものではなく、適宜変更可能である。
したがって、例えば図４に示すように、前記固定部１１と前面化粧板１２とを連結するチェーン部材３１を用いてもよい。
なお、図４に示すように、前記固定部１１の側面にチェーン部材３１の一端を留め付ける際は、この固定部１１の長さよりも前記前面化粧板１２の長さを長く設定する。
【００３６】
なお、以上のような本実施の形態の保管棚１０は、キッチン１に設けられるものとしたが、これに限るものではなく、様々な部屋の壁面に取り付けて、飾り棚や商品陳列棚等として用いてもよいものとする。したがって、この保管棚１０に保管される物品も、スパイスや調味料等のようなキッチン関連のものだけでなく、適宜変更可能である。
【００３７】
本実施の形態によれば、前記固定部１１と、前記前面化粧板１２と、前記棚板１３とを備えており、前記前面化粧板１２は、前記固定部１１の前面に設けられるとともに該前面化粧板１２を前後方向に傾動させる傾動手段２０（３０）を介して、前記固定部１１に取り付けられているので、小物類８を前記棚板１３上に立たせた状態で保管することができるとともに、前記前面化粧板１２を前方に傾けて、小物類８を取り出したり収納したりすることができる。
すなわち、前記前面化粧板１２を前方に傾けることによって、前記棚板１３も同時に傾けることができるので、この棚板１３上に立たせた状態で保管された小物類８も前方に傾けることができる。これによって、例えば小物類８を、扉の内側に備え付けられたラックや、キャビネットに備え付けられた引き出しの中で保管する場合に比して、収納しやすく、かつ取り出しやすく、使い勝手がよくなる。
さらに、このような保管棚１０が前記壁面３に沿って取り付けられるとともに、この壁面３の幅方向に沿って長尺に形成されることから、前記壁面３の幅方向に沿って、この保管棚１０の長さ分の小物類８を多数保管することができるので、前記壁面３に沿って小物類８の保管場所を確保できるとともに、この壁面３の前方のスペースを作業スペース等として有効活用できる。
【００３８】
また、前記前面化粧板１２は、傾動範囲規制手段２１（３１）によって傾動範囲が規制されているので、前記前面化粧板１２が必要以上に前方に傾くことを防ぐことができ、前記前面化粧板１２の傾けすぎによる前記棚板１３上の小物類８の落下を確実に防ぐことができる。
【００３９】
また、前記固定部１１の下面１１ｄには、照明１４が前記下面１１ｄから突出しないようにして埋込設置されているので、照明１４を間接照明として利用できる。
また、照明１４の下方を作業スペースとした際に、この照明１４によって手元を照らすことができるので好ましい。
【００４０】
また、前記棚板１３は、この棚板１３の突出方向側端部に設けられるとともに、この棚板１３に直交する方向に突出する立ち上がり部１３ａを有するので、小物類８が、前記棚板１３の突出方向側端部よりも壁面３側に移動することを確実に防ぐことができる。これによって、例えば、前記前面化粧板１２を前方に傾けたり、後方に戻したりする際に、小物類８が前記棚板１３の突出方向側端部に落下することを確実に防ぐことができる。
【００４１】
また、前記保管棚１０は、前記作業カウンター４ａよりも上方に位置する前記キッチン１の壁面３に取り付けられているので、前記キッチン１において、前記壁面３に沿って小物類８の保管場所を確保できるとともに、この壁面３の前方のスペースを作業スペース等として有効活用できる。
また、前記保管棚１０の下方に前記作業カウンター４ａが位置するので、この作業カウンター４ａ上で、保管棚１０に保管した小物類８を利用した作業を行う際に使い勝手がよく、作業効率を向上させることができる。
【符号の説明】
【００４２】
１  キッチン
３  壁面
４ａ  作業カウンター
８  小物
１０  保管棚
１１  固定部
１２  前面化粧板
１３  棚板
２０  傾動手段
２１  規制手段
３０  傾動手段
３１  規制手段
【図１】
2011045468.tif 000003
【図２】
2011045468.tif 000004
【図３】
2011045468.tif 000005
【図４】
2011045468.tif 000006